【手続補正書】
【提出日】平成26年7月15日(2014.7.15)
【手続補正１】
【補正対象書類名】特許請求の範囲
【補正対象項目名】全文
【補正方法】変更
【補正の内容】
【特許請求の範囲】
【請求項１】
医療機器であって、
カテーテルイントロデューサであり、前記カテーテルイントロデューサの中に長手方向軸に沿って伸びる中央の主ルーメンを有するカテーテルイントロデューサと、
ここで、前記カテーテルイントロデューサは、内側ライナーと前記内側ライナーに隣接する外層を含み、
ここで、前記内側ライナーは、内面と外面を含み、前記内面が前記中央ルーメンを包囲し、
ここで、前記中央ルーメンは、第二の医療機器をその中に受けるようになされており、
前記内側ライナーと前記外層の中間において前記カテーテルイントロデューサを通って伸びている少なくとも１つの外側ルーメンと、
前記外層を通って伸びているとともに前記中央ルーメンを包囲するトルク伝達部材と、
ここで、前記トルク伝達部材は前記外層の大部分を通って伸びており、
前記カテーテルイントロデューサの遠位部に連結されている電気解剖学的システム画像
形成素子と、
前記電気解剖学的システム画像形成素子に連結され、前記少なくとも１つの外側ルーメンの中を伸びている電線と、
前記カテーテルイントロデューサの中を伸びている少なくとも１つの屈曲素子と、
前記少なくとも１つの屈曲部材に連結され、前記カテーテルイントロデューサの遠位端を曲げることのできるアクチュエータと、を備える医療機器。
【請求項２】
前記電気解剖学的システム画像形成素子は、第一の電気解剖学的システム画像形成素子であり、
前記カテーテルイントロデューサに連結された第二の電気解剖学的システム画像形成素子と、
前記カテーテルイントロデューサに連結された第三の電気解剖学的システム画像形成素子と、
をさらに含む、請求項１に記載の医療機器。
【請求項３】
前記第一の電気解剖学的システム画像形成素子、前記第二の電気解剖学的システム画像形成素子、前記第三の電気解剖学的システム画像形成素子は、電気解剖学的誘導システムに動作的に接続されている、請求項２に記載の医療機器。
【請求項４】
前記電気解剖学的システム画像形成素子は、インピーダンス測定電極素子、磁界センサー素子、音響測距システム素子、導電コイル素子、コンピュータ断層撮影素子、および磁気共鳴画像撮影素子の少なくとも１つを含む、請求項１〜３のいずれか一項に記載の医療機器。
【請求項５】
前記電気解剖学的システム画像形成素子は、ペーシング電極、電気生理学的電極、位置決め電極、マッピング電極、リング電極、固体電極、チップ電極の１つを含む、請求項１〜４のいずれか一項に記載の医療機器。
【請求項６】
前記外側ルーメンは、前記外面に連結された中空の副管を含む、請求項１〜５のいずれか一項に記載の医療機器。
【請求項７】
副管内径は内側ライナー内径より小さく、副管外径は内側ライナー外径より小さい、請求項６に記載の医療機器。
【請求項８】
前記中空の副管は、複数のルーメンを含む、請求項６に記載の医療機器。
【請求項９】
前記外層に近接する熱収縮材料の層をさらに備えており、前記外層が前記内側ライナーと前記熱収縮材料層に連結される、請求項１〜８のいずれか一項に記載の医療機器。
【請求項１０】
前記外層の遠位端の少なくとも一部は、透明ポリマー材料と半透明ポリマー材料の少なくとも１つを含む、請求項１〜９のいずれか一項に記載の医療機器。
【請求項１１】
前記外側ルーメンの遠位端は、前記外層の、透明ポリマー材料と半透明ポリマー材料の少なくとも１つを含む前記部分に近接する、請求項１０に記載の医療機器。
【請求項１２】
システムであって、
近位端、遠位端及び主ルーメンを含むカテーテルイントロデューサと、
ここで、前記主ルーメンは、前記近位端と前記遠位端の間を伸び、第二の医療機器をその中に受けるようになされており、
ここで、前記カテーテルイントロデューサは、内側ライナーと外層をさらに含み、前記内側ライナーが内面と外面を有し、
前記内側ライナーと前記外層の中間において前記カテーテルイントロデューサを通って伸びている少なくとも１つの外側ルーメンと、
前記外層を通るとともに前記カテーテルイントロデューサの近位部と遠位部の間を伸びている編組と、
ここで、前記編組の近位端は前記カテーテルイントロデューサの前記近位端に近接しており、前記編組の遠位端は前記カテーテルイントロデューサの前記遠位端に近接しており、
前記カテーテルイントロデューサの遠位部に連結されている電気解剖学的システム画像形成素子と、
前記電気解剖学的システム画像形成素子に連結され、前記少なくとも１つの外側ルーメンの中を伸びている電線と、
前記カテーテルイントロデューサを、前記カテーテルイントロデューサの長手方向軸に関して少なくとも１つの方向に屈曲させる手段と、
前記電気解剖学的システム画像形成素子から信号を受信するようになされている電気解剖学的誘導システムと、を備えるシステム。
【請求項１３】
前記電子制御ユニットは、前記電気解剖学的システム画像形成素子の位置の決定と電気生理学的信号の監視の少なくとも１つを実行するための手段を含む、請求項１２に記載のシステム。
【請求項１４】
位置を決定する前記手段は、インピーダンス測定電極、磁界センサー素子、音響測距システム素子、導電性コイル素子、コンピュータ断層撮影素子、磁気共鳴画像撮影素子の少なくとも１つを含む、請求項１３に記載のシステム。
【請求項１５】
前記電子制御ユニットは表示スクリーンを含み、前記表示スクリーンは、１つまたは複数のカテーテルの三次元位置の視覚的表現を表示するようになされている、請求項１２に記載のシステム。
【請求項１６】
エネルギーの供給または受取が可能な第二の医療機器をさらに含む、請求項１３に記載のシステム。
【請求項１７】
医療機器であって、
カテーテルイントロデューサであり、前記カテーテルイントロデューサの中に長手方向軸に沿って伸びる中央の主ルーメンを有するカテーテルイントロデューサと、
ここで、前記カテーテルイントロデューサは、内側ライナーと前記内側ライナーに隣接する外層を含み、
ここで、前記内側ライナーは、内面と外面を含み、前記内面が中央ルーメンを包囲し、
ここで、前記中央ルーメンは、第二の医療機器をその中に受けるようになされており、
前記内側ライナーと前記外層の中間において前記カテーテルイントロデューサを通って伸びている少なくとも１つの外側ルーメンと、
前記外層を通って伸びているとともに前記中央ルーメンを包囲するトルク伝達部材と、
ここで、前記トルク伝達部材の近位端は前記カテーテルイントロデューサの近位部に近接しており、前記トルク伝達部材の遠位端は前記カテーテルイントロデューサの遠位部に近接しており、
前記カテーテルイントロデューサの遠位部に動作的に連結されている電気解剖学的システム画像形成素子と、
前記電気解剖学的システム画像形成素子に連結され、前記少なくとも１つの外側ルーメンの中を伸びている電線と、
前記カテーテルイントロデューサを少なくとも１つの軸方向に屈曲させる手段と、を備える医療機器。
【請求項１８】
前記電気解剖学的システム画像形成素子は、インピーダンス測定電極素子、磁界センサー素子、音響測距システム素子、導電コイル素子、コンピュータ断層撮影素子、および磁気共鳴画像撮影素子の少なくとも１つを含む、請求項１７に記載の医療機器。
【請求項１９】
前記電気解剖学的システム画像形成素子は第一の電気解剖学的システム画像形成素子であり、
前記カテーテルイントロデューサの前記遠位部に動作的に連結された第二の電気解剖学的システム画像形成素子をさらに含む、請求項１７に記載の医療機器。
【請求項２０】
エネルギーの供給または受取が可能な第二の医療機器をさらに含む、請求項１７に記載の医療機器。